(57)【要約】【課題】簡易な操作によってアイコンに消失あるいは出現等のアニメーション効果を生じさせることができる携帯情報端末を提供する。【解決手段】本発明に係る携帯情報端末１は、アイコン１３４を用いて各種機能を表示し得るものであって、アイコン１３４を所定の表示領域内に表示する入出力部１３の表示部１３１と、所有者の一つの動作を検知する検知部１４のモーションセンサー１４１と、検知部１４によって検知した所有者の一つの動作に応じて、入出力部１３の表示部１３１に表示されているアイコン１３４にアニメーション効果を生じさせる制御部１５とを備えていることを特徴としている。本発明に係る携帯情報端末１によれば、人の一つの動作という簡易な操作によりアイコン１３４に消失あるいは出現等のアニメーション効果を生じさせることができる。【選択図】図４
2013182426.tif 000002
【特許請求の範囲】
【請求項１】
アイコンを用いて各種機能を表示する携帯情報端末であって、
アイコンを所定の表示領域内に表示する表示手段と、
人の一つの動作を検知する検知手段と、
前記検知手段によって検知した前記人の一つの動作に応じて、前記表示手段に表示されている前記アイコンにアニメーション効果を生じさせる制御手段とを備えることを特徴とする携帯情報端末。
【請求項２】
前記検知手段はモーションセンサーを備えている請求項１に記載の携帯情報端末。
【請求項３】
前記制御手段によるアニメーション効果は、前記アイコンを前記表示領域内から消失させるものである請求項１または請求項２に記載の携帯情報端末。
【請求項４】
前記制御手段によるアニメーション効果は、前記アイコンを前記表示領域外に移動させるものである請求項３に記載の携帯情報端末。
【請求項５】
前記制御手段によるアニメーション効果は、前記アイコンを表示領域の左右方向に揺動させながら、前記アイコンを表示領域上方側に移動させることにより、前記アイコンを前記表示部の表示領域外に移動させるものである請求項４に記載の携帯情報端末。
【請求項６】
前記制御手段によるアニメーション効果は、前記アイコンの大きさを変化させ、かつ、前記アイコンを表示領域の左右方向に揺動させながら、前記アイコンを表示領域上方側に移動させることにより、前記アイコンを前記表示領域外に移動させるものである請求項３に記載の携帯情報端末。
【請求項７】
前記制御手段によるアニメーション効果は、前記アイコンを表示領域下方側に直線的に移動させることにより、前記アイコンを表示領域外に移動させるものである請求項３に記載の携帯情報端末。
【請求項８】
前記制御手段によるアニメーション効果は、前記アイコンを表示領域の左右方向に揺動させながら表示領域下方側に移動させることにより、前記アイコンを前記表示領域外に移動させるものである請求項３に記載の携帯情報端末。
【発明の詳細な説明】
【技術分野】
【０００１】
本発明は、アイコンを用いて各種機能を表示する携帯情報端末に関するものである。
【背景技術】
【０００２】
従来より、携帯電話機やＰＤＡ（Ｐｅｒｓｏｎａｌ  Ｄｉｇｉｔａｌ  Ａｓｓｉｓｔａｎｔ）が普及しており、最近では携帯電話機およびＰＤＡが有する機能を併せ持ついわゆるスマートフォン等も広く普及している。
【０００３】
これら携帯電話機、ＰＤＡ、スマートフォン等の携帯情報端末は、該携帯情報端末内の情報を所有者に表示する表示部が設けられている。この表示部はアイコン等を用いて各種機能を表示領域内に表示するものであり、所有者によって表示されている該アイコンが選択されると、携帯情報端末で該アイコンに対応する機能を実行することができる（特許文献１）。このため、通常の携帯情報端末では、各種設定を変更する等の基本メニューのアイコンや各種機能を実行するアプリケーションソフト（以下、アプリという）等のアイコンが画面上に表示されている状態である場合が多い。こうすることによって、該画面からアプリを直接的に実行し得るため、所有者にとって操作性が良いものとなっている。
【０００４】
また、一般的な携帯情報端末は、表示されているアイコン等の背景として任意の背景画像を設定することが可能であるため、所有者はお気に入りの画像等を背景画像に設定する場合が多い。
【先行技術文献】
【特許文献】
【０００５】
【特許文献１】特開２０１１−２０９８２４号公報
【発明の概要】
【発明が解決しようとする課題】
【０００６】
しかしながら、従来の携帯情報端末においては、背景画像の手前側にアイコンが重なるように静止した状態で表示されているため、アイコンが邪魔になって背景画像を十分に表示することができない。したがって、所望の画像を背景画像に設定し得る一方で、該所望の画像の全体が表示されないため、背景画像を設定できる利点が損なわれるという問題があった。
【０００７】
これに対応する手段として、アイコンを表示させないように画面の設定を変更することも可能である。ところが、従来の携帯情報端末は、画面の設定を変更する場合、細かく枝分かれした複数の項目を逐次選択しなければならないため、画面の設定変更の作業は煩雑なものであった。特に、最近の携帯情報端末は、多機能化しているが故に選択項目が多くなっており、画面の設定変更の作業は複雑化している。また逆に、アイコンを表示させないように予め画面の設定をしているときに、アイコンを表示させる状態に画面の設定を変更する場合も上記と同様、煩雑な作業をしなければならなかった。
【０００８】
本発明は、上述の問題に鑑みてなされたものであって、簡易な操作によりアイコンに消失あるいは出現等のアニメーション効果を生じさせることができる携帯情報端末を提供することを目的とする。
【課題を解決するための手段】
【０００９】
本発明に係る携帯情報端末は、アイコンを用いて各種機能を表示するものであって、上記目的を達成するために、アイコンを所定の表示領域内に表示する表示手段と、人の一つの動作を検知する検知手段と、前記検知手段によって検知した前記人の一つの動作に応じて、前記表示手段に表示されている前記アイコンにアニメーション効果を生じさせる制御手段とを備えることを特徴とする。
【００１０】
これによれば、人の一つの動作という簡易な操作により、アイコンに消失あるいは出現等のアニメーション効果を生じさせることができる。
【００１１】
また、前記検知手段はモーションセンサーを備えているのが好ましい。これによれば、携帯情報端末自体が動くことのみによって人の一つの動作を検知するため、より一層簡易な操作によりアイコンにアニメーション効果を生じさせることができる。
【００１２】
また、前記制御手段によるアニメーション効果は、前記アイコンを前記表示領域内から消失させるものであってもよい。これによれば、アイコンが表示部の表示領域内から消失するため、背景画像の全体を表示することができる。
【００１３】
また、制御手段によるアニメーション効果は、前記アイコンを前記表示領域外に移動させるものであってもよい。これによれば、アイコンが移動することによって表示領域内から消失するため、アイコンが眼前から移動していくような印象を与えることができる。
【００１４】
また、前記制御手段によるアニメーション効果は、前記アイコンを表示領域の左右方向に揺動させながら、前記アイコンを表示領域上方側に移動させることにより、前記アイコンを前記表示部の表示領域外に移動させるものであってもよい。これによれば、アイコンが空中を上昇していく物体（例えば風船等）であるかのような印象を与えることができる。
【００１５】
また、前記制御手段によるアニメーション効果は、前記アイコンの大きさを変化させ、かつ、前記アイコンを表示領域の左右方向に揺動させながら、前記アイコンを表示領域上方側に移動させることにより、前記アイコンを前記表示領域外に移動させるものであってもよい。これによれば、アイコンが水中を浮上していく物体（例えば気泡等）であるかのような印象を与えることができる。
【００１６】
また、前記制御手段によるアニメーション効果は、前記アイコンを表示領域下方側に直線的に移動させることにより、前記アイコンを表示領域外に移動させるものであってもよい。これによれば、アイコンが空中を落下していく物体であるかのような印象を与えることができる。
【００１７】
また、制御手段によるアニメーション効果は、前記アイコンを表示領域の左右方向に揺動させながら表示領域下方側に移動させることにより、前記アイコンを前記表示領域外に移動させるものであってもよい。これによれば、アイコンが空中をひらひらと落下していく物体（例えば落ち葉等）であるかのような印象を与えることができる。
【発明の効果】
【００１８】
本発明によれば、人の一つの動作という簡易な操作により、アイコンに消失あるいは出現等のアニメーション効果を生じさせることができる。このため、従来のような煩雑な設定変更の作業を要しないため、例えば背景画像の全体が見れる状態とアプリを直接的に実行させられる状態とを簡易に切り換えることが可能になる。
【図面の簡単な説明】
【００１９】
【図１】第１の実施形態に係る携帯情報端末の構成を示すブロック図である。
【図２】モーションセンサーの設定画面を示す図である。
【図３】アニメーション効果の設定画面を示す図である。
【図４】第１の実施形態におけるアイコンのアニメーション効果を示す図である。
【図５】第２の実施形態におけるアイコンのアニメーション効果を示す図である。
【図６】第３の実施形態におけるアイコンのアニメーション効果を示す図である。
【図７】第４の実施形態におけるアイコンのアニメーション効果を示す図である。
【発明を実施するための形態】
【００２０】
＜第１の実施形態＞
次に、本発明に係る携帯情報端末の第１の実施形態について図１〜図４を参照しつつ説明する。
【００２１】
なお、本実施形態の携帯情報端末（以下、本端末という）１は、携帯電話機とＰＤＡとの機能を併せ持ついわゆるスマートフォンである。
【００２２】
本端末１は、図１に示すように、種々の情報を記憶する記憶部１１と、他の端末との通信を可能にさせる通信部１２と、本端末１内の情報を出力するとともに所有者からの情報を入力させる入出力部１３と、所有者（人）の一つの動作を検知する検知部１４と、本端末１内の各構成の動作を制御する制御部１５とを備えている。なお、図１における矢印は各構成間で送受信される電気的な信号の流れを示している。
【００２３】
前記記憶部１１は、本端末１が携帯電話機としての機能を実行するための動作プログラムと、ＰＤＡとしての機能を実行するための動作プログラムとを記憶しているとともに、その他の各種機能を実行するための種々のアプリを記憶している。また、この記憶部１１は、後述の表示部１３１に表示されるアイコン１３４にアニメーション効果を生じさせる動作プログラムを有するアニメーションアプリ１１１を記憶している。
【００２４】
前記通信部１２は、電話回線およびインターネット等の通信回線と無線によって適宜接続することが可能である。これにより、本端末１は、携帯電話機として電話回線を介して発信および着信が可能であるとともに、ＰＤＡとしてインターネットを介して情報の送信および受信が可能である。
【００２５】
前記入出力部１３は、本端末１内の情報を表示する表示部１３１を備えており、該表示部１３１において本端末１の各種設定を変更する等の基本メニューのアイコン１３４ａ、各種機能を実行するアプリのアイコン１３４ｂ、通信部１２を介して受信した情報等を表示する。この表示部１３１は、所定の表示領域を有するタッチパネル式の液晶ディスプレイであり、該液晶ディスプレイがタッチ等されることによって情報の入力が可能である。このため、例えば、所有者が表示部１３１に表示されたアイコン１３４をタッチすることにより、該アイコン１３４に対応する機能が実行される。
【００２６】
前記検知部１４は、所有者の一つの動作を検知するものであり、モーションセンサー１４１を備えている。モーションセンサー１４１は、空間においての一方向をＸ軸、該Ｘ軸と直交する軸をＹ軸、Ｘ軸およびＹ軸よりなるＸ−Ｙ平面と直交する軸をＺ軸とすると、各軸方向への加速度の変化を検知するものである。
【００２７】
具体的には、モーションセンサー１４１に設けられたＩＣ（Ｉｎｔｅｇｒａｔｅｄ  Ｃｉｒｃｕｉｔ）チップ内部に可動部が設けられており、該可動部の動きの変化によって電気的な変化が生じる。この電気的変化を測定して各軸方向に対する加速度の変化量を算出することにより、本端末１の各軸方向（３次元）における動きを検知する。ここでの検知部１４は、本端末１が一定の大きさで振られること（以下、シェイクという）をモーションセンサー１４１が検知することによって、所有者の一つの動きを検知するように予め設定されている。
【００２８】
なお、上記検出部１４は、所有者のシェイクを検知した場合、制御部１５にその旨の信号を送信する。
【００２９】
前記制御部１５は、本端末１が有する各構成の動作を統括的に制御する。すなわち、入出力部１３を介して情報が入力されたり、検知部１４からの信号を受信したりすると、該情報や信号に応じて記憶部１１に適宜アクセスし、各種の動作プログラムを読み出す。そして、該動作プログラムに基づいて通信部１２、入出力部１３、検知部１４等の動作を制御する。なお、制御部１５の動作の詳細については、後述の本端末１における各設定およびアニメーション効果にて説明する。
【００３０】
次に、本端末１におけるモーションセンサー１４１の設定、および、アイコン１３４のアニメーションの設定について説明する。
【００３１】
本端末１は、記憶部１１に記憶されたアニメーションアプリ１１１の動作プログラムに基づいて、入出力部１３を介して所有者からモーションセンサー１４１を作動させるか否かについての設定を受け付ける。図２（ａ）に示すように、表示部１３１において本端末１の各種機能を設定するための「ホーム画面設定」を表示している際、所有者によって「モーションセンサーの設定」１３２という項目が選択されると、制御部１５は、図２（ｂ）に示すように、モーションセンサー１４１を作動させるか否かを選択させる選択画面を表示する。ここで、所有者によって「ＯＮ」１３２ａが選択された場合、制御部１５はモーションセンサー１４１が作動するように検知部１４を制御する。一方、所有者によって「ＯＦＦ」１３２ｂが選択された場合、制御部１５はモーションセンサー１４１が作動しないように検知部１４を制御する。これにより、所有者がモーションセンサー１４１を作動させるか否かについて設定することができる。
【００３２】
また、本端末１は、入出力部１３を介して所有者から表示部１３１に表示されるアイコン１３４に生じさせるア二メーションについての設定を受け付ける。図３（ａ）に示すように、表示部１３１において「ホーム画面設定」を表示している際、所有者によって「アイコンアニメーションの設定」１３３という項目が選択されると、制御部１５は、図３（ｂ）に示すように、アイコン１３４のアニメーションの選択画面を表示する。ここで、所有者によって例えば「泡」１３３ｃが選択された場合、後述するように制御部１５は選択された「気泡」１３３ｃに該当するアニメーション効果をアイコン１３４に生じさせるように表示部１３１を制御する。
【００３３】
次に、本端末１におけるアイコン１３４に生じさせるアニメーション効果について説明する。以下では、上述のモーションセンサー１４１が作動するように設定されているとともに、アイコン１３４のアニメーションが「泡」１３３ｃに設定されている場合について説明する。また、ここではアプリのアイコン１３４ｂにのみアニメーション効果が生じるものとする。
【００３４】
本端末１において、図４（ａ）に示すように、表示部１３１において複数のアイコン１３４（１３４ａ，１３４ｂ）が等間隔で２次元的に静止状態で整列して表示されている。下方１段目に表示されているアイコン１３４は基本メニューのアイコン１３４ａであり、下方２段目以上に表示されているアイコンはアプリのアイコン１３４ｂである。
【００３５】
この状態にある本端末１において、検知部１４のモーションセンサー１４１が所有者のシェイクを検知すると、検知部１４はその旨の信号を制御部１５に送信する。制御部１５は、検知部１４からの信号を受信すると、記憶部１１に記憶されているアニメーションアプリ１１１の動作プログラムに基づいて、アプリのアイコン１３４ｂにアニメーション効果を生じさせるように表示部１３１を制御する。本実施形態では、アイコンのアニメーションが「泡」１３３ｃで設定されているため、気泡が水中を浮上するように、各アプリのアイコン１３４ｂにアニメーション効果を生じさせる。
【００３６】
具体的に、図４（ｂ）に示すように、各アプリのアイコン１３４ｂの大きさを変化させ、かつ、アプリのアイコン１３４ｂを表示領域の左右方向に揺動させながら、アプリのアイコン１３４ｂを表示領域上方側に移動させる。そして、図４（ｃ）に示すように、アプリのアイコン１３４ｂを表示領域外まで移動させることによって消失させる。
【００３７】
このように、表示領域内からアプリのアイコン１３４ｂを消失させることによって、表示領域内の各アプリのアイコン１３４ｂが水中を浮上する物体であるかのような印象を与えることができる。
【００３８】
＜第２の実施形態＞
次に、本発明に係る携帯情報端末の第２の実施形態について図５を参照しつつ説明する。本実施形態では、アプリのアイコン１３４ｂのアニメーションが「ゆっくり落ちる」１３３ｂに設定されている場合について説明する。なお、以下では、上記実施形態と異なる構成について説明することとし、同一の構成については同一の符号を付し、その説明を省略する。
【００３９】
図５（ａ）に示すように、表示部１３１において複数のアイコン１３４が等間隔で２次元的に静止状態で整列して表示されている。本実施形態では、アイコンアニメーションが「ゆっくり落ちる」１３３ｃで設定されているため、図５（ｂ）に示すように、任意の物体が自由落下より遅い速度で落下するように、各アプリのアイコン１３４ｂを表示領域の垂直下方側に直線的に移動させるアニメーション効果を生じさせる。そして、図５（ｃ）に示すように、アプリのアイコン１３４ｂを表示領域外まで移動させることによって消失させる。
【００４０】
このように、表示領域内からアプリのアイコン１３４ｂを消失させることによって、アプリのアイコン１３４ｂが空中をゆっくりと落下する物体であるかのような印象を与えることができる。
【００４１】
なお、本実施形態において、アプリのアイコン１３４ｂが自由落下より遅い速度で落下するようにアニメーション効果を生じさせる場合について説明したが、自由落下と同速度あるいは自由落下より早い速度であってもよい。
【００４２】
また、アプリのアイコン１３４ｂが表示領域の垂直下方側に移動する場合について説明したが、下方側であれば垂直でなくてもよい。
【００４３】
また、アプリのアイコン１３４ｂが表示領域の垂直下方側に直線的に移動する場合について説明したが、直線的でなくてもよい。
【００４４】
＜第３の実施形態＞
次に、本発明に係る携帯情報端末の第３の実施形態について図６を参照しつつ説明する。本実施形態では、アプリのアイコン１３４ｂのアニメーションが「揺れて落ちる」１３３ａに設定されている場合について説明する。なお、以下では、上記各実施形態と異なる構成について説明することとし、同一の構成については同一の符号を付し、その説明を省略する。
【００４５】
図６（ａ）に示すように、表示部１３１において複数のアイコン１３４が等間隔で２次元的に静止状態で整列して表示されている。本実施形態では、アイコンアニメーションが「揺れて落ちる」１３３ａで設定されているため、図６（ｂ）に示すように、各アプリのアイコン１３４ｂを表示領域の左右方向に揺動させ、かつ左右方向に回転させながら表示領域下方側に移動させるアニメーション効果を生じさせる。そして、図６（ｃ）に示すように、アプリのアイコン１３４ｂを表示領域外まで移動させることによって消失させる。
【００４６】
このように、表示領域内からアプリのアイコン１３４ｂを消失させることによって、アプリのアイコン１３４ｂが空中をひらひらと落下する物体（例えば落ち葉等）であるかのような印象を与えることができる。
【００４７】
なお、本実施形態において、アプリのアイコン１３４ｂが左右方向に回転する場合について説明したが、回転しなくてもよい。
【００４８】
＜第４の実施形態＞
次に、本発明に係る携帯情報端末の第４の実施形態について図７を参照しつつ説明する。本実施形態では、アプリのアイコン１３４ｂのアニメーションが「風船」１３３ｄに設定されている場合について説明する。なお、以下では、上記各実施形態と異なる構成について説明することとし、同一の構成については同一の符号を付し、その説明を省略する。
【００４９】
図７（ａ）に示すように、表示部１３１において複数のアイコン１３４が等間隔で２次元的に静止状態で整列して表示されている。本実施形態では、アイコンアニメーションが「風船」１３３ｄで設定されているため、図７（ｂ）に示すように、各アプリのアイコン１３４ｂを表示領域の左右方向に揺動させながら、アプリのアイコン１３４ｂを表示領域上方側に移動させるアニメーション効果を生じさせる。そして、図７（ｃ）に示すように、アプリのアイコン１３４ｂを表示領域外まで移動させることによって消失させる。
【００５０】
このように、表示領域内からアプリのアイコン１３４ｂを消失させることによって、表示領域内の各アプリのアイコン１３４ｂが空中を上昇していく物体（例えば風船等）であるかのような印象を与えることができる。
【００５１】
なお、本実施形態において、所有者（人）の一つの動作を検知するものがモーションセンサー１４１である場合について説明したが、音声、磁気、電波等を検知するセンサであってもよい。また、入力ボタン、タッチパネル等から入力されることによって人の一つの動作を検知するようにしてもよい。あるいは、所有者が本端末１を使用したことによって電池残量が所定値になったことを検知するようにしてもよい。
【００５２】
また、アプリのアイコン１３４ｂにのみアニメーション効果が生じる場合について説明したが、基本メニューのアイコン１３４ａやその他のアイコン等にもアニメーション効果が生じるようにしてもよい。
【００５３】
また、アプリのアイコン１３４ｂが移動することによって消失する場合について説明したが、移動することによって消失なくてもよい。例えば、アプリのアイコン１３４ｂは、表示されているその位置で消失してもよい。
【００５４】
また、アプリのアイコン１３４ｂが消失する場合について説明したが、逆にアプリのアイコン１３４ｂが表示されていない場合にはアプリのアイコン１３４ｂが出現するようにしてもよい。あるいは、アプリのアイコン１３４ｂが変形するようにしてもよい。この場合、例えば、アプリのアイコン１３４ｂが全体的に表示部１３１の奥の方に向かっていくように小さくなったり、アプリのアイコン１３４ｂが全体的に表示部１３１の手前側に向かって来るように大きくなったりしてもよい。
【００５５】
また、本端末１は、スマートフォンである場合について説明したが、携帯電話機あるいはＰＤＡ等のその他の携帯情報端末であってもよい。
【００５６】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５７】
１…本携帯情報端末
１１…記憶部
１１１…アニメーションアプリ
１２…通信部
１３…入出力部
１３１…表示部
１３２…モーションセンサの選択画面
１３３…アイコンアニメーションの選択画面
１３４ａ…基本メニューのアイコン
１３４ｂ…アプリのアイコン
１４…検知部
１４１…モーションセンサー
【図１】
2013182426.tif 000003
【図２】
2013182426.tif 000004
【図３】
2013182426.tif 000005
【図４】
2013182426.tif 000006
【図５】
2013182426.tif 000007
【図６】
2013182426.tif 000008
【図７】
2013182426.tif 000009